(57)【要約】【課題】乳房の膨らみを潰して平坦な胸を実現し、なおかつ着脱が容易である胸部サポーターを提供すること。【解決手段】女性の胸部をサポートする帯状の胸部サポーターであって、内側面に、非伸縮性素材で形成され胸部を被覆する左右一対のホールド部と、伸縮性素材で形成され該左右一対のホールド部を背側において連結し背部を被覆するフレキシブル部とを有し、外側面に、伸縮性素材で形成されその外周において該ホールド部と該フレキシブル部とに連結するラウンドカバー部を有し、また該左右一対のホールド部を胸部において連結する連結部を有する。【選択図】図１
2008150722.tif 000002
【特許請求の範囲】
【請求項１】
女性の胸部をサポートする帯状の胸部サポーターであって、内側面に、非伸縮性素材で形成され胸部を被覆する左右一対のホールド部と、伸縮性素材で形成され該左右一対のホールド部を背側において連結し背部を被覆するフレキシブル部とを有し、外側面に、伸縮性素材で形成されその外周において該ホールド部と該フレキシブル部とに連結するラウンドカバー部を有し、また該左右一対のホールド部を胸部において連結する連結部を有することを特徴とする、胸部サポーター。
【請求項２】
前記非伸縮性素材が、伸長率０％であることを特徴とする、請求項１記載の胸部サポーター。
【発明の詳細な説明】
【技術分野】
【０００１】
本発明は、胸部サポーターに関する。特に女性が身につけるのに利用できる胸部サポーターに関する。
【背景技術】
【０００２】
従来、女性用の胸部サポーターとしては、スポーツ用ブラジャー等が知られている（例えば、特許文献１参照）。特許文献１には、胸部被覆部と背部被覆部と肩ベルト部が一体に形成されたブラジャーが記載されている。
【特許文献１】特開平９−２９６３０８号公報（０００５段落）
【０００３】
女性が男装する際には、胸部をサポートする機能に加え、乳房の膨らみを潰して、なるべく平坦にすることが望まれる。
【発明の開示】
【発明が解決しようとする課題】
【０００４】
しかし、上記文献に記載されたブラジャーでは、乳房の膨らみを潰す機能がないという問題があった。また、着脱が容易ではないという問題があった。
【０００５】
したがって、本発明の目的は、上記した課題を解決し、乳房の膨らみを潰して平坦な胸を実現し、なおかつ着脱が容易である胸部サポーターを提供することにある。
【課題を解決するための手段】
【０００６】
本発明の態様は、上記目的を達成するため、女性の胸部をサポートする帯状の胸部サポーターであって、内側面に、非伸縮性素材で形成され胸部を被覆する左右一対のホールド部と、伸縮性素材で形成され該左右一対のホールド部を背側において連結し背部を被覆するフレキシブル部とを有し、外側面に、伸縮性素材で形成されその外周において該ホールド部と該フレキシブル部とに連結するラウンドカバー部を有し、また該左右一対のホールド部を胸部において連結する連結部を有することを特徴とする胸部サポーターを提供する。
【０００７】
前記非伸縮性素材が、伸長率０％であることが好ましい。本発明において、非伸縮性素材は、本品の幅方向において伸長率が０％であることにより、より効率的に胸を平坦に見せることができる。また、本品の縦方向においても伸長率が０％であることが望ましい。一方、伸縮性素材の方は、伸長率が低すぎると身体の動きに対しフレキシブル性に欠け、伸長率が高すぎると着用している間に締め付けられて苦しくなる。したがって、本発明において、伸縮性素材は、本品の幅方向において伸長率４４％以上４８％以下が望ましい。この範囲であれば、前記非伸縮性素材との組み合わせにより快適な状態で胸を平坦にみせることができる。
【発明の効果】
【０００８】
本発明によれば、乳房の膨らみを潰して平坦な胸を実現し、なおかつ着脱が容易である。
【発明を実施するための最良の形態】
【０００９】
以下、本発明の胸部サポーターについて、実施例を用いて本発明を具体的に説明するが、本発明はこれらに限定されるものではない。
【実施例】
【００１０】
［実施例１］
｛構成｝
図１は、本発明の胸部サポーターの実施例１の斜視図である。図２は、本発明の胸部サポーターの実施例１の内側面を示す図である。図３は、本発明の胸部サポーターの実施例１の外側面を示す図である。本実施例において、胸部サポーター（１）は、ホールド部（２）とフレキシブル部（３）とラウンドカバー部（４）と連結部（５）を有する。胸部サポーター（１）は、帯状であって、胸部をサポートするものである。胸部サポーター（１）は、内側面に、左右一対のホールド部（２）と、左右のホールド部（２）を連結するフレキシブル部（３）とを有し、外側面にラウンドカバー部（４）を有する。
【００１１】
ホールド部（２）とフレキシブル部（３）とは、横方向に、右側のホールド部（２）、フレキシブル部（３）、左側のホールド部（２）の順に連結して縫合して、１枚の帯となって、内面側部分を形成している。フレキシブル部（３）は、左右１対のホールド部（２）の間に挟まれて連結した形になる。
【００１２】
ホールド部（２）、フレキシブル部（３）及びラウンドカバー部（４）は、いずれも人体にフィットするよう扇形状になっている。縦方向の長さは全て同じでおよそ胸部を被覆する程度の長さである。縦方向の長さは全て同じでおよそ胸部を被覆する程度の長さである。この縦方向の長さが胸部サポーター（１）の短辺の長さとなる。ラウンドカバー部（４）の横方向の長さは、扇形側面（長い方）を胸部サポーター（１）外側面上部、扇形内面（短い方）を胸部サポーター（１）外側面下部とし、自然に置いた状態で、胸部サポーター（１）内側面のそれら長さと同じである。つまり、ラウンドカバー部（４）からなる外側面と、右側のホールド部（２）とフレキシブル部（３）と左側のホールド部（２）とからなる内側面とは、横方向すなわち胸部サポーター（１）上部と胸部サポーター（１）下部の長さはそれぞれ同じとなる。
【００１３】
胸部サポーター（１）の短辺の両端には、左右のホールド部（２）を胸部において係脱自在に連結する連結部（５）を有する。連結部（５）で連結することにより胸部サポーター（１）は環状にすることができる。連結部（５）は、１組のファスナー（５１）と２組のフックアイ（５２）からなる。フックアイ（５２）は、リング部分を有するフックアイメス（５２ａ）と、フック部分を有するフックアイオス（５２ｂ）とで１組であり、フックアイオス（５２ｂ）のフック部をフックアイメス（５２ａ）のリング部分に引っ掛けて連結するものである。フックアイ（５２）のリング部分及びフック部分は金具で、それぞれ、布地からなる台座に固着させて形成されている。本実施例においては、フックアイメス（５２ａ）はリング部分が胸部サポーター（１）の内側に位置するように取り付けてあり、フックアイオス（５２ｂ）はフック部分が胸部サポーター（１）の外側に位置するように取り付けてあり、体には金具が当らないようにしてある。また、ファスナー（５１）は、スライダー、テープ、エレメント（務歯）を有し、テープ部分を胸部サポーター（１）の短辺の両端に縫い付けてあり、開閉することにより胸部サポーター（１）を着脱できる構成となっている。
【００１４】
右側のホールド部（２）とフレキシブル部（３）と左側のホールド部（２）とからなる内面側部分と、ラウンドカバー部（４）とは、その上下部分においてゴム部（６）で接合されていて、幅方向の両端はファスナー（５１）のテープ部分で接合されている。ゴム部（６）は、内面側部分にあり、外側からは見えない。内面側部分とラウンドカバー部（４）は、外周部分のみで縫合されており、他の部分は接合されておらず、袋状になっている。ゴム部（６）は、やや引き伸ばした状態で内面側部分とラウンドカバー部（４）と縫合し、自然においた状態で、ややつり気味とする。
【００１５】
胸部サポーター（１）の上部、下部の長さはともに、自然においた状態で、アンダーバストの長さよりやや小さい。左右の各ホールド部（２）の上部、下部の長さは、少なくともフレキシブル部（３）の上部、下部の長さの２分の１以上の長さがあり、左右のホールド部（２）で同じである。本実施例においては、各ホールド部（２）の上部、下部の長さは、自然においた状態で、フレキシブル部（３）の上部、下部の長さとほぼ同じ長さである。
【００１６】
ホールド部（２）は、非伸縮性素材で形成される。一方、フレキシブル部（３）とラウンドカバー部（４）とゴム部（６）とは、伸縮性素材で形成される。着用中の快適性、フィッティング性を高めるため、フレキシブル部（３）とラウンドカバー部（４）とは同じ伸縮率の素材であることが望ましく、ゴム部（６）は、フレキシブル部（３）とラウンドカバー部（４）より伸縮率の大きい素材であることが望ましい。
【００１７】
本実施例では、ホールド部（２）には、トリコット編みのポリエステル１００％の生地の裏にマーキゼット編みのポリエステル１００％の生地を接着剤で張り合わせるボンディング加工により全面接着して１枚の生地にしたものを用いた。トリコットは、たて編みの鎖編みの１つで、弾性に富み丈夫で、しかも緻密でフィット感のある編み地が得られる編み方である。マーキゼットは、鎖編みをベースにもう２セットの地糸を挿入糸として横方向に逆行させて連結しており、正方形の網目をもち、横伸びに強い編み方である。ホールド部（２）は、トリコット編みの生地とマーキゼット編みの生地を、編みの方向を同じにして張り合わせて形成され、縦横いずれの方向にも伸縮性がほとんどないものである。縦方向にも横方向にも伸びないが、横方向に辺の一部を引っ張ると、引っ張った部分は、引っ張った方向へスライド移動するが、その分、反対側の辺の対応する部分も同じ方向へ移動し、生地は伸びずに変形して動き、手を放すと元に戻る。
【００１８】
また、本実施例では、フレキシブル部（３）とラウンドカバー部（４）には、ともに、ナイロン素材８３％ポリウレタン１７％のパワーネットを用いた。パワーネットは、たて編みのラッセル編みの素材で、ストレッチ性に優れた細かいネット状の編物である。ナイロン素材にポリウレタン弾性繊維を交編してあるので、伸びた後のキックバック性に優れている。
【００１９】
また、本実施例では、ゴム部（６）には、ピコゴムを用いた。ピコゴムは、ゴムテープにループ状の飾りが付いたものであり、本実施例では、ナイロン７０％ポリウレタン３０％のピコゴムを用いた。フックアイ（５２）の台座の布地には、ポリエステル１００％のテープを用い、フックアイ（５２）の金具にはスティール製の金具を用いた。ファスナー（５１）には、一般的なオープンコイルファスナーを用いた。
【００２０】
ホールド部（２）に用いた生地（以下「生地Ａ」という。）、フレキシブル部（３）とラウンドカバー部（４）に用いた生地（以下「生地Ｂ」という。）、ゴム部（６）に用いた生地（以下「生地Ｃ」という。）について、伸長率を測定した。測定は、ＪＩＳ  Ｌ１０９６（１９９９年）の８．１４．１に記載された伸長率Ｂ法（定荷重法）に準じて行った。（１）まず、試料を１２．５ｃｍ四方に切り出した試験片の両端を棒により固定し、一端を上にして平行に吊るし、上端から下端までの長さ（Ｌ０）を測定する。（２）次に、他端を下にして重さの無視できる糸で、初荷重として重り１ｋｇを吊るす。（３）そのまま１分間放置し、上端から下端までの長さ（Ｌ1）を測定する。（４）測定後、荷重を開放し、伸縮を戻すため１分間放置する。（２）〜（４）をあと２回繰り返す。３回のＬ1の値の平均値（Ｌ1Ａ）から伸長率Ｅｐ（％）＝（Ｌ1Ａ−Ｌ０）／Ｌ０×１００を算出し、小数点以下１桁に丸める。本発明において、「伸長率」とは、本方法によって測定した伸長率をいう。但し、生地Ｃについては、幅１．５ｃｍ長さ１０ｃｍに切り出した試料片を、長さ方向を横方向として、測定した。生地Ａについては、縦１３ｃｍ横５ｃｍに切り出した試料片について測定した。その結果、生地Ａについては、縦方向、横方向とも伸長率は０％であった。また、生地Ｂについては、伸長率は、縦方向２４％、横方向４６．２％であった。生地Ｃについては、伸長率は、縦方向０％、横方向１２５％であった。生地Ａは、重りの重さを２０ｋｇにしても全く伸びなかった。フレキシブル部（３）とラウンドカバー部（４）に用いる生地として望ましいのは、伸長率が、縦方向２２〜２６％、横方向４４〜４８％の範囲にあるものである。ホールド部（２）に用いる生地は、伸長率は０％であることが望ましい。なお、各生地とも、横方向が胸部サポーター（１）の幅方向となるように用いた。
【００２１】
｛着脱方法｝
図４は、本発明の胸部サポーターの実施例１の装着方法を示す図である。図４（ａ）は、胸部サポーター（１）をヒト（１０）の胸部に巻きつけているところで、図４（ｂ）は、胸部サポーター（１）をヒト（１０）の胸部に着用を完了したところの図である。紙面の表側が、ヒト（１０）の顔側である。ホールド部（２）が胸部を包むように、フレキシブル部（３）を背中側に接するようにして、ラウンドカバー部（４）を表側にして、胸部サポーター（１）を巻きつけて、連結部（５）が身体の前中央に来るようにしてフックアイ（５２）のリング部分にフック部分を取り付けてファスナー（５１）を閉めて着用を完了する。胸部サポーター（１）に上着を着ると、乳房の膨らみが抑えられ、男性のように見せることができる。
【００２２】
脱ぐ際は、ファスナー（５１）を開けてフックアイ（５２）のフック部分をリング部分から外す。腕を通したり、首から外したりする必要はない。
【００２３】
｛作用効果｝
本実施例は、かかる構成であるため、乳房の膨らみを潰して平坦な胸を実現し、なおかつ着脱が容易である。より詳細には、以下のような作用効果を奏する。
【００２４】
胸部サポーター（１）は、伸長性の高い外側面と、非伸長性の部分を有する内側面とが、外周部分以外接合されておらず、袋状であるので、乳房の大きさに関わらず快適に装着できる。また、左右の各ホールド部（２）の横方向の長さは、少なくともフレキシブル部（３）の長さの２分の１以上の長さがあるので、胸部全体を平坦に見せることができる。
【００２５】
ファスナー（５１）とフックアイ（５２）の両方で連結してあるので、着用中に誤って脱げ落ちる心配がない。しかも、帯状なので、ファスナー（５１）とフックアイ（５２）とを外せば、簡単に胸部サポーター（１）を脱げる。
【００２６】
着用中に胸部が苦しくなったら、上着を着たまま、ファスナー（５１）を開きフックアイ（５２）のフック部分をリング部分から取り外すことによって、ウエスト方向に胸部サポーター（１）がずり落ち、首や腕を通さないでも、即座に極めて容易に脱ぐことができる。しかも、ファスナー（５１）もフックアイ（５２）も前側にあるので、上着を着たままでも脱ぎやすい。乳房の膨らみを潰すことを長時間続けて胸が苦しくなっても、ずっと胸を圧迫しつづけると、圧迫から開放しても、圧迫感が残る後遺症がでるおそれがあるが、上着を脱がないと取り外せない場合、がまんしてしまいがちである。しかし、本実施例によれば、上着を着たままでも極めて容易に脱げるので、後遺症のおそれが軽減される。また、首を通さないため、着脱時に化粧や髪型が崩れたり、衣服に化粧が付く等の心配がない。ファスナー（５１）が前面にあるので、きつく固定した状態でもファスナーが閉めやすい。
【００２７】
ゴム部（６）が胸部サポーター（１）の上下にあるので、胸部サポーター（１）の上側と下側の２箇所で、胸囲方向にフィット感が得られる。胸部がホールド部（２）によって、面で胸部を押さえるので、効率よく平坦に見せることができる。
【００２８】
さらに、生地全てが編地であるため、乳房の膨らみを押さえて平坦に見せながらも、なおかつ通気性に優れ、長時間の着用にも耐えられる。また、織物と違って、柔軟性があり、シワや折り目がつきにくく、保温性にも優れている。
【００２９】
［実施例２］
｛構成｝
図５は、本発明の胸部サポーターの実施例２の斜視図である。本実施例では、取り外し可能な肩紐（７）が２本附属されており、肩紐（７）の両端には、アジャスター（８）が取り付けてある。胸部サポーター（１）上部のゴム部（６）には、４箇所にアジャスター取付部（９）が設けられ、アジャスター取付部（９）に各アジャスター（８）を取り付けることによって、胸部サポーター（１）を肩から吊り下げることができる構成となっている。本実施例では、着脱時には、通常、腕を通す必要があるが、着用中に、よりずり落ちにくく安定する。前方の２箇所のアジャスター取付部（９）をアジャスター（８）から取り外す手間はかかるが、上着を着用したままでも、脱ぐことができる。
【００３０】
なお、本発明は、上記実施の形態に限定されず、その発明の趣旨を逸脱しない範囲で種々と変形実施が可能である。また、上記各実施の形態の構成要素を発明の趣旨を逸脱しない範囲で任意に組み合わせることができる。
【図面の簡単な説明】
【００３１】
【図１】本発明の胸部サポーターの実施例１の斜視図である。
【図２】本発明の胸部サポーターの実施例１の内側面を示す図である。
【図３】本発明の胸部サポーターの実施例１の外側面を示す図である。
【図４】本発明の胸部サポーターの実施例１の装着方法を示す図である。
【図５】本発明の胸部サポーターの実施例２の斜視図である。
【符号の説明】
【００３２】
１      胸部サポーター
２      ホールド部
３      フレキシブル部
４      ラウンドカバー部
５      連結部
５１    ファスナー
５２    フックアイ
６      ゴム部
７      肩紐
８      アジャスター
９      アジャスター取付部
１０    ヒト
【図１】
2008150722.tif 000003
【図２】
2008150722.tif 000004
【図３】
2008150722.tif 000005
【図４】
2008150722.tif 000006
【図５】
2008150722.tif 000007